(57)【要約】【課題】使い勝手がよく、清掃面積の大きい対象物の清掃に適し、安価に製作できる清掃用手袋を得る。【解決手段】２枚のシート１ａ・１ｂを重ね合わせた状態で、手挿入用開口６を除く両シート１ａ・１ｂの外周縁どうしが熱溶着された手袋本体２と、手袋本体２の掌側シート１ａの外側に配した不織布製のカバー３と、洗浄成分を有する粉末状の研磨剤４とを含んでいる。研磨剤４は、掌側シート１ａとカバー３との間に収容される。掌側シート１ａは、前記研磨剤４が手袋内に侵入するのを阻止する遮蔽フィルム６ａを備えている。使用時に研磨剤４は、カバー３を通って外部に排出される。【選択図】図１
2005179805.tif 000002
【特許請求の範囲】
【請求項１】
手袋本体２の掌側となる一側面に、洗浄成分を有する粉末状の研磨剤４が手袋外へ出るように仕込んであるとともに、前記研磨剤４が手袋内へ侵入するのを阻止する遮蔽フィルム６ａを備えていることを特徴とする清掃用手袋。
【請求項２】
２枚のシート１ａ・１ｂを重ね合わせた状態で、手が挿入できるようにして両シート１ａ・１ｂの外周縁どうしが接着された手袋本体２と、手袋本体２の掌側となる掌側シート１ａの外側に配した不織布製のカバー３と、掌側シート１ａとカバー３との間に収容され、かつ洗浄成分を有する粉末状の研磨剤４とを含んでおり、
掌側シート１ａが、前記研磨剤４が手袋内へ侵入するのを阻止する遮蔽フィルム６ａを有することを特徴とする清掃用手袋。
【請求項３】
掌側シート１ａは、不織布製基材５ａの内側に遮蔽フィルム６ａを配しており、
手袋本体２の甲側となる甲側シート１ｂが、不織布製基材５ｂの内側に遮蔽フィルム６ｂを配している請求項２記載の清掃用手袋。
【請求項４】
研磨剤４の粒径が、９０〜１６０μｍの範囲内である請求項３記載の清掃用手袋。
【請求項５】
２枚のシート１ａ・１ｂを重ね合わせた状態で、手が挿入できるようにして両シート１ａ・１ｂの外周縁どうしが接着された手袋本体２と、手袋本体２の掌側となる掌側シート１ａの外側に配した不織布製の収容袋１９と、収容袋１９内に収容され、かつ洗浄成分を有する粉末状の研磨剤４とを含んでおり、
手袋本体２の掌側となる掌側シート１ａが、不織布製基材５ａの内側に遮蔽フィルム６ａを配しており、
手袋本体２の甲側となる甲側シート１ｂが、不織布製基材５ｂの内側に遮蔽フィルム６ｂを配しており、
手袋本体２の掌側シート１ａの外面と、収容袋１９の裏面とにそれぞれ面ファスナー２０・２１が配されており、
収容袋１９が、掌側シート１ａに対し、面ファスナー２０・２１を介して着脱自在に取り付けられていることを特徴とする清掃用手袋。
【発明の詳細な説明】
【技術分野】
【０００１】
本発明は、自動車や家具などの汚れ落としに供される清掃用手袋に関する。
【背景技術】
【０００２】
特許文献１には、掌側に、紙石鹸などの洗浄剤と不織布などの洗浄用材とを積層した防水樹脂製手袋が開示されている。特許文献５には、紙や布などからなる手袋本体に洗剤を含浸するとともに、手袋本体の内面にプラスチックフィルムを配した手袋が開示されている。
【０００３】
【特許文献１】特開平８−５２１号公報（段落番号００１４−００１８、図１−２）
【特許文献２】特開平８−２４１９０号公報（段落番号００１３−００１４、図１）
【特許文献３】特開２００１−１８７０１１号公報（段落番号０００５、図１）
【特許文献４】実用新案登録第３０２４０２６号公報（段落番号０００４、図１）
【特許文献５】実開平１−１４３５４号公報（明細書第２頁第２０行目−第４頁第９行目、第１−３図）
【特許文献６】実開平１−６２７５４号公報（明細書第３頁、第１図）
【特許文献７】実開平２−８３５６号公報（明細書第３頁第２０行目−第４頁第５行目、第１図）
【発明の開示】
【発明が解決しようとする課題】
【０００４】
特許文献１では、水で濡らさなければ使用できないため、水を確保しにくい屋外で自動車などを清掃する場合に手軽に使用できない。また、洗浄剤が紙石鹸などの固形物のため、手袋がごわついて使い勝手が悪い。
【０００５】
特許文献５では、手袋本体が薄いと洗剤の含浸量が少なくなる。したがって、自動車や家具など清掃面積の大きい対象物の清掃には不向きである。この場合、手袋本体を分厚くすることも考えられるが、厚くすると清掃用手袋のコストアップを招いてしまう。
【０００６】
そこで本発明の目的は、使い勝手がよく、清掃面積が大きい対象物であっても確実に清掃することができるうえ、安価に製作できる清掃用手袋を提供することにある。
【課題を解決するための手段】
【０００７】
本発明は、図１および図２に示すごとく、手袋本体２の掌側となる一側面に、洗浄成分を有する粉末状の研磨剤４が手袋外へ出るように仕込んであるとともに、前記研磨剤４が手袋内へ侵入するのを阻止する遮蔽フィルム６ａを備えていることを特徴とする。ここでの研磨剤４は、シリコンやタルクやシリカやカルキなどの粉末に脂肪酸ナトリウムや脂肪酸カリウムなどの石鹸の成分などを含ませたものの他、それ自体が洗浄作用を有する重曹なども含む概念である。
【０００８】
具体的には、２枚のシート１ａ・１ｂを重ね合わせた状態で、手が挿入できるようにして両シート１ａ・１ｂの外周縁どうしが接着された手袋本体２と、手袋本体２の掌側となる掌側シート１ａの外側に配した不織布製のカバー３と、掌側シート１ａとカバー３との間に収容され、かつ洗浄成分を有する粉末状の研磨剤４とを含んでおり、掌側シート１ａが前記遮蔽フィルム６ａを有する。ここでの接着は、熱接着や接着剤での接着などが該当する。研磨剤４は、掌側シート１ａの外側の全体に配する場合と、掌側シート１ａの外側の一部のみに配する場合とが含まれる。
【０００９】
掌側シート１ａは、不織布製基材５ａの内側に前記遮蔽フィルム６ａを配しており、甲側シート１ｂは、不織布製基材５ｂの内側に遮蔽フィルム６ｂを配している。研磨剤４の粒径は、９０〜１６０μｍの範囲内にしてある。研磨剤４の粒径が１６０μｍを越えると、研磨剤４の粒子で清掃対象物を傷つけるおそれがあり、研磨剤４の粒径が９０μｍより小さいと、研磨剤４の粉が、外部へ短時間に大量に排出されて無駄に消費される。
【００１０】
カバー３に代えて、不織布製の収容袋１９内に、洗浄成分を有する粉末状の研磨剤４を収容し、手袋本体２の掌側シート１ａの外面と、収容袋１９の裏面とにそれぞれ面ファスナー２０・２１を配して、収容袋１９が、掌側シート１ａに対し、面ファスナー２０・２１を介して着脱自在に取り付けられているものとすることができる。
【発明の効果】
【００１１】
本発明の清掃用手袋は、これを着用して清掃対象物に擦り付けると、洗浄成分を有する粉末状の研磨剤４がカバー３を通って外部に排出され、この研磨剤４で清掃対象物が磨かれるうえ、汚れ落ちが促進される。研磨剤４は粉末状であるので、手袋がごわつかないうえ、から拭きであってもカバー３から適正量で排出され、清掃の際の使い勝手がよい。
【００１２】
手袋本体２とカバー３との間の空間を大きくすることで、多くの研磨剤４を保持することができ、自動車や家具など清掃面積の大きい対象物の清掃に好適である。しかも、手袋本体２の厚み寸法に関係なく研磨剤４の収容量を設定できるので、薄い手袋本体２を使って清掃用手袋のコストを下げて、清掃用手袋の使い捨て化を図ることができる。
【００１３】
研磨剤４を収容袋１９に収容し、収容袋１９を手袋本体２に対して着脱自在に取り付けると、研磨剤４を使い切ったときに新しい研磨剤入りの収容袋１９と交換することで、大きい清掃対象物であっても確実に清掃できるうえ、一つの清掃用手袋を何回でも使用できることになる。
【発明を実施するための最良の形態】
【００１４】
（第１実施例）  図１〜図５は本発明に係る清掃用手袋の第１実施例を示しており、親指の入る袋部分と、残りの４本の指が入る袋部分とで形成されたミトン形状になっている。清掃用手袋は、図１および図２に示すごとく、２枚のシート１ａ・１ｂを重ね合わせた状態で、手が挿入できるようにして両シート１ａ・１ｂの外周縁どうしを接着した手袋本体２と、手袋本体２の掌側（図２の上側）となる掌側シート１ａの外側に配した不織布製のカバー３と、洗浄成分を有する粉末状の研磨剤４とを含んでいる。研磨剤４は、掌側シート１ａとカバー３との間に収容されている。研磨剤４は、シリコンやシリカやカルキなどの粉末に脂肪酸ナトリウムや脂肪酸カリウムなどの石鹸の成分を含ませて形成する。
【００１５】
掌側シート１ａは、不織布製基材５ａの内面側に遮蔽フィルム６ａを密着状に配して形成してあり、手袋本体２の甲側（図２の下側）となる甲側シート１ｂは、不織布製基材５ｂの内面側に遮蔽フィルム６ｂを密着状に配して形成してある。両基材５ａ・５ｂは、熱溶着性繊維を含んでいる。遮蔽フィルム６ａ・６ｂは、ポリエチレン（ＰＥ）やポリプロピレン（ＰＰ）などのオレフィン系高分子化合物などの熱溶着性の合成樹脂からなり、研磨剤４が手袋内へ侵入するのを阻止している。
【００１６】
研磨剤４の粒径は、９５μｍ程度に設定した。カバー３は、熱溶着性繊維を含んでおり、かつ、研磨剤４の粒子が通過できるように繊維どうしの隙間を設定してある。不織布は、化学パルプや合成樹脂繊維などからなる。
【００１７】
清掃用手袋は、次の要領でつくる。図４に示すごとく、甲側の基材５ｂと遮蔽フィルム６ｂとをそれぞれ原反８・９から繰り出して重ね合わせ、基材５ｂに遮蔽フィルム６ｂをスポット状に熱溶着して甲側シート１ｂを形成する。一方、掌側の基材５ａと遮蔽フィルム６ａとは、それぞれ原反１０・１１から繰り出して密着状態に重ね合わせ、基材５ａに遮蔽フィルム６ａをスポット状に熱溶着して、掌側シート１ａを形成する。
【００１８】
次いで、甲側シート１ｂと掌側シート１ａとを重ね合わせ、更に掌側の基材５ａの外面に、原反１２から繰り出されて来るカバー３を重ね合わせる。この状態で、接着・溶断加工機１４によって甲側シート１ｂと掌側シート１ａとカバー３とは、手を挿入する開口の縁を除いた外周縁を熱溶着するとともに、ミトン形状に溶断する。これにより、図５に示す半完成品１５をつくる。
【００１９】
半完成品１５において、手が挿入される開口１６から掌側シート１ａとカバー３との間に研磨剤４を注入して収容したのち、開口１６は、これに臨む掌側シート１ａとカバー３との開口縁どうしを接着剤で接着することにより封止する。これによって図１に示す清掃用手袋が完成する。因みに、先の開口１６において、甲側シート１ｂと掌側シート１ａとの開口縁どうしは接着せずともよい。完成後の清掃用手袋は、研磨剤４が湿気を吸わないように合成樹脂製の包装袋に真空パックして、流通に供する。
【００２０】
使用時には、開口１６を介して掌側シート１ａと甲側シート１ｂとの間に手を差し込む。この状態で、清掃用手袋の掌側を自動車などの清掃対象物に押し付けてから拭きする。この際、研磨剤４の粉がカバー３を通って外部へ徐々に排出され、清掃対象物に擦りつけられることで、清掃対象物の汚れを落とす。
【００２１】
清掃用手袋は乾燥状態で使用してもよいが、研磨剤４が重曹などの場合には、わずかに水を含ませて使用すると汚れがより落ちやすくなる。清掃用手袋に水を含ませても、遮蔽フィルム６ａ・６ｂで手が濡れることはない。
【００２２】
（第２実施例）  図６は本発明に係る清掃用手袋の第２実施例を示しており、研磨剤４は、手袋本体２の掌側シート１ａの中央部分のみに配置される。その他の点は、第１実施例と同じであるので、同一部材には同一符号を付して説明を省略する。第２実施例では、研磨剤４の使用量を減らすことができる。
【００２３】
（第３実施例）  図７は本発明に係る清掃用手袋の第３実施例を示しており、研磨剤４が収容袋１９に収容されている。手袋本体２の掌側シート１ａの中央部分と、収容袋１９の裏面とには、それぞれ面ファスナー２０・２１を配してあり、面ファスナー２０・２１で手袋本体２の掌側シート１ａに収容袋１９を着脱自在に取り付けることができる。
【００２４】
その他の点は、第１実施例と同じであるので、同一部材には同一符号を付して説明を省略する。第３実施例では、研磨剤４を使い切ったときに新しい研磨剤入りの収容袋１９に交換することで、清掃用手袋を何回でも清掃に供することができる。
【００２５】
カバー３、掌側シート１ａ、甲側シート１ｂの三者は、接着剤や縫合などで接着してもよい。清掃用手袋は、親指の入る袋部分と、人差し指の入る袋部分と、残りの３本の指が入る袋部分とで形成してもよいし、５本の指が別々の袋部分に入るようにしてもよい。清掃用手袋は、右手用と左手用とを１組にして製作してもよいし、右手用あるいは左手用のみを製作してもよい。
【００２６】
掌側シート１ａは、基材５ａを省略して遮蔽フィルム６ａのみで形成してもよいし、遮蔽フィルム６ａの内側に基材５ａを配してもよいし、遮蔽フィルム６ａの内外に基材５ａをそれぞれ配してもよい。甲側シート１ｂは、基材５ｂあるいは遮蔽フィルム６ｂのみで形成してもよいし、遮蔽フィルム６ｂの内外に基材５ｂをそれぞれ配してもよい。掌側シート１ａや甲側シート１ｂにおいて、遮蔽フィルム６ａ・６ｂの内側に基材５ａ・５ｂを配した場合には、清掃用手袋を手につけた際の感触が良いうえ、汗を吸収することができる。
【図面の簡単な説明】
【００２７】
【図１】第１実施例の一部切り欠き平面図
【図２】図１のＡ−Ａ線断面図
【図３】図１のＢ−Ｂ線断面図
【図４】清掃用手袋の製造工程を説明する概念図
【図５】半完成品の斜視図
【図６】第２実施例の平面図
【図７】第３実施例の平面図
【符号の説明】
【００２８】
１ａ  掌側シート
１ｂ  甲側シート
２  手袋本体
３  カバー
４  研磨剤
５ａ  掌側シートの基材
５ｂ  甲側シートの基材
６ａ  掌側シートの遮蔽フィルム
６ｂ  甲側シートの遮蔽フィルム
１９  収容袋
２０・２１  面ファスナー
【図１】
2005179805.tif 000003
【図２】
2005179805.tif 000004
【図３】
2005179805.tif 000005
【図４】
2005179805.tif 000006
【図５】
2005179805.tif 000007
【図６】
2005179805.tif 000008
【図７】
2005179805.tif 000009